【手続補正書】
【提出日】平成17年6月23日(2005.6.23)
【手続補正１】
【補正対象書類名】明細書
【補正対象項目名】全文
【補正方法】変更
【補正の内容】
【書類名】        明細書
【発明の名称】    ライト付き携帯用テスタおよびその操作方法
【特許請求の範囲】
【請求項１】  測定用の一側プローブを先端部に有して少なくともあらかじめ設定してある特定動作機能を作動させるための特定機能入力キーを備えたテスタ本体と、該テスタ本体からリード線を介して引き出された測定用の他側プローブとを備え、
前記テスタ本体における一側プローブの近傍位置には、該一側プローブの接触端方向にその照射光が到達する配置関係のもとで、前記特定機能入力キーからの入力状況との関係でその点滅の制御を自在としたライトを付設したことを特徴とするライト付き携帯用テスタ。
【請求項２】  前記テスタ本体が備える測定値を表示するための表示部は、前記ライトの点滅と同期して点滅制御されるバックライトを備える請求項１に記載のライト付き携帯用テスタ。
【請求項３】  測定用の一側プローブと、あらかじめ設定してある機能を選択的に作動させるための機能入力手段と、該機能入力手段側からの入力状況に応じて前記一側プローブの接触端方向への照射光の照射を自在としたライトと、測定値を表示するための表示部とを少なくとも備えてなるテスタ本体と、該テスタ本体からリード線を介して引き出される測定用の他側プローブとで構成され、
前記機能入力手段には、少なくとも電源回路の開閉を含む測定モードを切り換えるためのモード切替え機能と、ホールド操作を含む特定動作機能とを付与したことを特徴とするライト付き携帯用テスタ。
【請求項４】  前記表示部は、前記ライトの点滅と同期して点滅制御されるバックライトを備える請求項３に記載のライト付き携帯用テスタ。
【請求項５】  測定用の一側プローブと、あらかじめ設定してある特定動作機能を作動させるための特定機能入力キーからの入力状況に応じて前記一側プローブの接触端方向への照射光の照射を自在としたライトと、測定値を表示するための表示部とを少なくとも備えてなるテスタ本体と、該テスタ本体からリード線を介して引き出された測定用の他側プローブとで構成されるライト付き携帯用テスタに適用され、
前記特定機能入力キーからの入力があれば、その時点での現在状態を保持させた上で前記特定機能入力キーからの入力に応じた特定動作機能の作動を開始させ、該特定機能入力キーからの入力継続が所定時間を経過したときは、前記ライトを点灯させて現在作動中の前記特定動作機能を解除すると同時に最初に前記特定機能入力キーからの入力があった時点における前記現在状態を表示部に再現させ、前記特定機能入力キーからの入力操作がないまま前記ライトの点灯が一定時間を経過した際に自動消灯させることを特徴とするライト付き携帯用テスタの操作方法。
【請求項６】  前記特定動作機能が測定値のホールド機能である請求項５に記載のライト付き携帯用テスタの操作方法。
【発明の詳細な説明】
【０００１】
【発明の属する技術分野】
本発明は、被測定箇所が暗がりに位置していても一人で測定作業を遂行することができるライト付き携帯用テスタおよびその操作方法に関する技術である。
【０００２】
【従来の技術】
図５は、従来からある携帯用テスタの一例を示す説明図であり、測定用の一側プローブ３を先端部２ａの側から突出させたテスタ本体２と、該テスタ本体２の後端部２ｂの側からリード線５を介して引き出された測定用の他側プローブ４とで携帯用テスタ１の全体が構成されている。なお、テスタ本体２は、その適宜部位に測定値（直交電流値，電圧値，抵抗値）を表示するための表示部６や必要なキー７やスイッチ８を備えて形成されている。
【０００３】
このため、被測定箇所１０１が暗がりに位置している場合には、天井灯や壁面灯などのような固定ライトからの明かりを頼りに測定作業が行われ、このような固定ライトの明かりが届かないときには、ペンライトのような手持ちライトＦからの明かりを頼りにその測定作業が行われることになる。
【０００４】
【発明が解決しようとする課題】
しかし、ペンライトのような手持ちライトＦからの明かりを頼りに携帯用テスタ１を用いて暗がりに位置している被測定箇所１０１に対する測定作業を行おうとする場合には、一側プローブ３を備えるテスタ本体２と、別体となった他側プローブ４とを両手で取り扱う一人の測定作業者のほかに、手持ちライトＦを操作する作業補助者も別に必要になる不都合があった。
【０００５】
しかも、手持ちライトＦからの明かりを頼りに被測定箇所１０１に対する測定作業をするにしても、必ずしも表示部６から測定値を読み取ることができる照度が得られるとは限らない。
【０００６】
このため、従来からある携帯用テスタ１を用いて暗がりに位置している被測定箇所１０１に対する測定作業を行う場合には、ホールド機能を利用して測定値をあらかじめ保持させておき、明るい場所で表示部６から改めて測定値を読み取るようにしたり、測定作業中に測定値を読み取ることができるように作業補助者に表示部６を手持ちライトＦで照明してもらわなければならない作業上の煩雑さがあった。
【０００７】
つまり、従来タイプの携帯用テスタ１を暗がりで用いる場合には、プロービングを行いながら表示部６に表示されている測定値を測定作業者が瞬時に読み取ることができるというこの種の機器に本来的に備わっているメリットを享有できなくなるばかりでなく、狭くて暗い場所に被測定箇所１０１が位置している場合の視認性に劣る結果、被測定箇所１０１を実際にプロービングしているか否かが判然とせず測定作業の正確性に不安感を抱かせるといった問題もあった。
【０００８】
本発明は、従来からある携帯用テスタにみられた上記課題に鑑み、暗がりに位置する被測定箇所に対しても測定作業者が単独で、迅速かつ正確に測定作業を円滑に遂行することができるライト付き携帯用テスタおよびその操作方法を提供することに目的がある。
【０００９】
【課題を解決するための手段】
本発明は、上記目的を達成すべくなされたものであり、そのうちの第１の発明（ライト付き携帯用テスタ）は、測定用の一側プローブを先端部に有して少なくともあらかじめ設定してある特定動作機能を作動させるための特定機能入力キーを備えたテスタ本体と、該テスタ本体からリード線を介して引き出された測定用の他側プローブとを備え、前記テスタ本体における一側プローブの近傍位置には、該一側プローブの接触端方向にその照射光が到達する配置関係のもとで、前記特定機能入力キーからの入力状況との関係でその点滅の制御を自在としたライトを付設したことに構成上の特徴がある。この場合、前記テスタ本体が備える測定値を表示するための表示部には、前記ライトの点滅と同期して点滅制御されるバックライトを具備させておくこともできる。
【００１０】
また、第２の発明は、測定用の一側プローブと、あらかじめ設定してある機能を選択的に作動させるための機能入力手段と、該機能入力手段側からの入力状況に応じて前記一側プローブの接触端方向への照射光の照射を自在としたライトと、測定値を表示するための表示部とを少なくとも備えてなるテスタ本体と、該テスタ本体からリード線を介して引き出される測定用の他側プローブとで構成され、前記機能入力手段には、少なくとも電源回路の開閉を含む測定モードを切り換えるためのモード切替え機能と、ホールド操作を含む特定動作機能とを付与したことに構成上の特徴がある。この場合、前記表示部は、前記ライトの点滅と同期して点滅制御されるバックライトを具備させておくこともできる。
【００１１】
一方、第３の発明（ライト付き携帯用テスタの操作方法）は、測定用の一側プローブと、あらかじめ設定してある特定動作機能を作動させるための特定機能入力キーからの入力状況に応じて前記一側プローブの接触端方向への照射光の照射を自在としたライトと、測定値を表示するための表示部とを少なくとも備えてなるテスタ本体と、該テスタ本体からリード線を介して引き出された測定用の他側プローブとで構成されるライト付き携帯用テスタに適用され、前記特定機能入力キーからの入力があれば、その時点での現在状態を保持させた上で前記特定機能入力キーからの入力に応じた特定動作機能の作動を開始させ、該特定機能入力キーからの入力継続が所定時間を経過したときは、前記ライトを点灯させて現在作動中の前記特定動作機能を解除すると同時に最初に前記特定機能入力キーからの入力があった時点における前記現在状態を表示部に再現させ、前記特定機能入力キーからの入力操作がないまま前記ライトの点灯が一定時間を経過した際に自動消灯させることに構成上の特徴がある。この場合、前記特定動作機能には、測定値のホールド機能などが含まれる。
【００１２】
【発明の実施の形態】
図１は、本発明に係るライト付き携帯用テスタの一例を一部を省略して示す斜視図であり、ライト付き携帯用テスタ１１は、測定用の一側プローブ１４を先端部１３に有するテスタ本体１２と、該テスタ本体１２の後端部２１からリード線２３を介して引き出された測定用の他側プローブ２２とを備えて形成されている。
【００１３】
また、テスタ本体１２は、測定値のホールド機能などのようなあらかじめ設定してある特定動作機能を作動させるための特定機能入力キー１７と、例えば電圧測定モードの場合に直流電圧測定と交流電圧測定とのいずれかに切り換えたりするシフトキー１８と、ＯＦＦ切替えや電圧（直・交流）・抵抗の測定モードを切り替えることができるモード切替え機能を有するモード切替えスイッチ１９とで構成される機能入力手段３０のほか、その後端部２１側に配設された例えばＬＣＤからなる表示部２０などを備えている。
【００１４】
さらに、テスタ本体１２における一側プローブ１４の近傍位置には、該一側プローブ１４の接触端１４ａ方向にその照射光が到達する位置関係ものとで、特定機能入力キー１７からの入力状況との関係でその点滅の制御を自在とした例えば白色ＬＥＤなどからなるライト１６を窓孔１５から表出させることにより付設されている。
【００１５】
この場合、ライト１６は、図３に示すように一側プローブ１４の接触端１４ａを被測定部位１０１に接触させた際に該被測定部位１０１に影ができないように特定機能入力キー１７などが配設されている面と同じ面に付設するのが望ましい。
【００１６】
また、表示部２０には、ライト１６の点滅と同期して点滅制御される図示しないバックライトが配設されており、このバックライトにより暗がりにおいてもライト１６を点灯させながら測定した測定値を表示部２０に表示してこれを読み取ることができるようになっている。
【００１７】
次に、上記構成からなるライト付き携帯用テスタに適用して実施される本発明に係るライト付き携帯用テスタの操作方法を、ライト付き携帯用テスタの作用・効果とともに図２に示すフローチャート図に従って以下に説明する。
【００１８】
すなわち、ライト１６の点灯処理に関する操作は、まず、ライト１６の点灯キーの機能をも兼ねている、特定機能入力キー１７からの入力操作の有無を判別することにより開始される。このとき、入力操作があれば、その時点での現在状態、例えばホールド中かホールドでないかといった内容や、ホールド中ならばホールド値などの現在状態を保持させた上で特定機能入力キー１７からの入力に応じた特定動作機能、例えばあらかじめ定めてある測定値のホールド機能などを含む所望に応じた特定動作機能の作動を開始させる。
【００１９】
次いで、特定機能入力キー１７の入力操作がライト１６の点灯をも意図していて行われているのかを確認するために、特定機能入力キー１７が所定時間以上押し続けられているか否か、つまり特定機能入力キー１７は、例えば測定値のホールド機能など特定動作機能の作動を開始させるだけでなく、暗がりに位置しているためにライト１６を点灯させるべく特定機能入力キー１７が一定時間以上にわたり押し続けられているか否かが判別される。
【００２０】
この際に、図３に示すように被測定箇所１０１ が暗がりに位置していてこれを照明するために特定機能入力キー１７が意識的に押されていると判別された場合には、ライト１６と表示部２０のバックライトとを点灯させると同時に、例えばホールド機能などのような現在作動中の特定動作機能が自動的に解除され、保持させておいた特定機能入力キー１７の入力操作時点における上記現在状態が表示部２０に再現表示される。
【００２１】
このため、測定作業者は、狭くて暗い場所にある被測定箇所１０１であっても、図３に示されているように一側プローブ１４の接触端１４ａが正確に接触してプロービングしていることを目視確認しながら、他側プローブ２２との組合せのもとで安心して測定作業を遂行することができる。
【００２２】
また、特定機能入力キー１７からの新たな入力操作がないままライト１６の点灯状態が一定時間を経過した際には、ライト１６を自動的に消灯させてその操作処理を終了する。なお、上記一定時間以上にわたりライト１６の点灯状態維持させておきたい場合には、必要とする時間だけ特定機能入力キー１７の入力を継続することにより実現することができる。
【００２３】
このため、ライト１６は、必要なときだけ点灯させることができ、しかも、一定時間を経過すると自動的に消灯させることができるので、誤って点灯させたり、スイッチの切り忘れをなくして内蔵電池の電力浪費をなくすことができる。
【００２４】
しかも、特定機能入力キー１７は、ライト１６の点灯操作キーの機能をも兼ね備えているので省スペース化を実現することができ、それだけ小型化の要請によく対応させることができる。
【００２５】
さらに、不使用時にあっては、一側プローブ１４に保護キャップ２５を被せるなどして持ち運ぶことにより、テスタ本体１２に対しペンシルライトとしての機能をも発揮させ得る汎用性を付与することができる。
【００２６】
以上は、本発明の実施形態を図示例に即して説明したものであり、その具体的な内容はこれに限定されることなく、本発明から逸脱しない範囲で上記実施形態に対し様々な変形を施すことが可能である。すなわち、ライト１６の取り付け位置は、図示例以外にも、図１のテスタ本体１２における左側面や右側面の先端部側に付設することもできる。また、特定機能入力キー１７を入力して得られる特定動作機能には、測定値のホールドのほか、測定時に必要となる例えば交流電圧の平均値を実効値に切り換えたり、内蔵させたブザーを鳴動させるなど、適宜内容の機能が含まれる。さらに、ライト１６には、明かりの色がコードの色などを見分けることができるものでさえあれば、例えば白熱灯を採用することもできる。
【００２７】
【発明の効果】
以上述べたように本発明によれば、狭くて暗い場所に被測定箇所が位置していても、測定作業者が単独で、迅速かつ正確に測定作業を安心して遂行することができる。
【００２８】
また、ライトを誤って点灯させたり、スイッチの切り忘れをなくすことにより、内蔵電池の電力浪費をなくすことができるほか、省スペース化を実現して小型化の要請によく対応させることができる。さらに、不使用時にあっては、テスタ本体に対しペンシルライトとしての機能をも発揮させ得る汎用性を付与することができる。
【図面の簡単な説明】
【図１】
本発明に係るライト付き携帯用テスタの一例を一部を省略して示す斜視図。
【図２】
本発明に係るライト付き携帯用テスタの操作方法についての処理手順の一例を示すフローチャート図。
【図３】
本発明の使用状態を示す説明図。
【図４】
本発明をペンシルライトとして使用する際の状態を示す斜視図。
【図５】
従来からある携帯用テスタの一例を用いて行われる測定状態を示す説明図。
【符号の説明】
１１  ライト付き携帯用テスタ
１２  テスタ本体
１３  先端部
１４  一側プローブ
１４ａ  接触端
１５  窓孔
１６  ライト
１７  特定機能入力キー
１８  シフトキー
１９  モード切替えスイッチ
２０  表示部
２１  後端部
２２  他側プローブ
２３  リード線
２５  保護キャップ
３０ 機能入力手段
１０１  被測定箇所
【手続補正２】
【補正対象書類名】図面
【補正対象項目名】図１
【補正方法】変更
【補正の内容】
【図１】
2004020361.tif 000001
【手続補正３】
【補正対象書類名】図面
【補正対象項目名】図２
【補正方法】変更
【補正の内容】
【図２】
2004020361.tif 000002